(57)【要約】【課題】外面に補強又は装飾用のアクセサリーが装着された電子装置用保護ケースを提供すること。【解決手段】本発明に係る電子装置用保護ケースは、本体部と、アクセサリーと、複数のボルトと、を備え、本体部は、基材及び基材に設けられた複数の固定座を含み、基材の一方側には、電子装置を収容する収容空間が形成され、アクセサリーには、複数の固定孔が設けられ、複数のボルトが複数の固定孔を貫通して本体部の複数の固定座にそれぞれ対応して螺合又は嵌合されることによって、アクセサリーは基材の、収容空間と反対側に装着される。【選択図】図１
2015104669.tif 000002
【特許請求の範囲】
【請求項１】
本体部と、アクセサリーと、複数のボルトと、を備える電子装置用保護ケースであって、
前記本体部は、基材及び該基材に設けられた複数の固定座を含み、前記基材の一方側には、電子装置を収容する収容空間が形成され、前記アクセサリーには、複数の固定孔が設けられ、
複数の前記ボルトが複数の前記固定孔を貫通して前記本体部の複数の前記固定座にそれぞれ対応して螺合又は嵌合されることによって、前記アクセサリーは前記基材の、前記収容空間と反対側に装着されることを特徴とする電子装置用保護ケース。
【請求項２】
前記固定座には、取付孔が設けられ、前記ボルトは、前記取付孔の中に装着されることを特徴とする請求項１に記載の電子装置用保護ケース。
【請求項３】
前記基材は、１つの底壁及び前記底壁の対向する両端に連接された２つの側壁を含み、前記固定座は、前記底壁に設けられ、
前記アクセサリーは、複数のカバー体を含み、各カバー体の一端には、翼部が設けられ、前記翼部は、前記基材の隅部と互いに係合されることを特徴とする請求項１に記載の電子装置用保護ケース。
【請求項４】
前記本体部は、前記基材の前記底壁の表面に設けられた複数のリブをさらに備え、複数の前記リブは、２つのグループに分けられ、各グループのリブは、前記底壁の表面において、前記底壁の長辺に沿って一方の前記側壁から他方の前記側壁まで延在し、
複数の前記固定座は、各グループのリブをさらに複数のグループに分けることを特徴とする請求項３に記載の電子装置用保護ケース。
【請求項５】
前記アクセサリーは、金属、プラスチック又は金属とプラスチックとの混合材料によって製造されることを特徴とする請求項１に記載の電子装置用保護ケース。
【請求項６】
電子装置を収容するための本体部及びアクセサリーを備える保護ケースであって、
前記本体部は、基材を含み、前記基材の一方側には、前記電子装置を収容するための収容空間が設けられ、前記アクセサリーは、前記基材の前記一方側の反対側に着脱可能に装着されることを特徴とする保護ケース。
【発明の詳細な説明】
【技術分野】
【０００１】
本発明は、保護ケースに関し、特に外面にアクセサリーを備える電子装置用保護ケースに関するものである。
【背景技術】
【０００２】
現在、スマートフォン、タブレットＰＣ等の電子装置は、人々の日常生活に浸透しており、近年、これらの電子装置は、益々軽薄化している。一方、ユーザは、通常保護ケースを用いてこれらの電子装置を保護する。しかし、一般的な保護ケースは、強度が弱く、その外観もモノトーンであるため、消費者の需要を満たすことができない。
【発明の概要】
【発明が解決しようとする課題】
【０００３】
本発明は、上記の問題点を考慮してなされたものであり、外面に補強用又は装飾用のアクセサリーが装着された電子装置用保護ケースを提供することを目的とする。
【課題を解決するための手段】
【０００４】
上記の課題を解決するために、本発明に係る電子装置用保護ケースは、本体部と、アクセサリーと、複数のボルトと、を備える。本体部は、基材及び該基材に設けられた複数の固定座を含み、基材の一方側には、電子装置を収容する収容空間が形成され、アクセサリーには、複数の固定孔が設けられ、複数のボルトが複数の固定孔を貫通して本体部の複数の固定座にそれぞれ対応して螺合又は嵌合されることによって、アクセサリーは基材の反対側に装着される。
【０００５】
また、上記の課題を解決するために、本発明に係る保護ケースは、電子装置を収容するための本体部及びアクセサリーを備え、本体部は、基材を含み、基材の一方側には、電子装置を収容するための収容空間が設けられ、アクセサリーは、基材の前記一方側の反対側に着脱可能に装着される。
【発明の効果】
【０００６】
従来の技術と異なり、本発明の保護ケースの外面には、補強又は装飾効果を備えるアクセサリーが装着されている。前記アクセサリーは、保護ケースの基材に取り外し可能に設けられる。従って、ユーザは、必要に応じて、保護ケースの外面に異なる形状又は色を有するアクセサリーを装着して、保護ケースの外観を個性的にできる。また、前記アクセサリーは、保護ケースの強度を強めることができる。
【図面の簡単な説明】
【０００７】
【図１】本発明の実施形態に係る電子装置用保護ケースの分解斜視図である。
【図２】図１に示した電子装置用保護ケースの本体部を示す斜視図である。
【図３】図２に示した電子装置用保護ケースの本体部を反対側から見た斜視図である。
【図４】図１に示したアクセサリーの斜視図である。
【図５】図１に示した電子装置用保護ケースの組立斜視図である。
【発明を実施するための形態】
【０００８】
図１に示すように、本発明の実施形態に係る電子装置用保護ケース１００は、本体部１０と、アクセサリー２０と、複数のボルト３０と、を備える。アクセサリー２０は、複数のボルト３０を利用して本体部１０に装着される。
【０００９】
図２に示すように、本体部１０は、基材１１、複数のリブ１３及び複数の固定座１５を備える。複数のリブ１３は、互いに対して平行となるように基材１１の表面に設けられている。また、複数のリブ１３は、２つのグループに分けられており、各グループはそれぞれ四本のリブ１３を備える。複数の固定座１５は、各グループのリブ１３の延伸方向に沿って、且つ基材１１と一体成型して設けられている。各グループのリブ１３は、この複数の固定座１５によって、さらに複数のグループに分けられる。本実施形態において、固定座１５は金属製のナットであり、基材１１及びリブ１３はプラスチック材料からなる。固定座１５は、インサート成型によって基材１１及びリブ１３と一体成型される。
【００１０】
また、変形例として、基材１１、リブ１３及び固定座１５は、一体成型でなくてもよい。例えば、接着等の方法によって、リブ１３及び固定座１５を基材１１に強固に固定してもよい。
【００１１】
図３に示すように、基材１１は、底壁１１１及び底壁１１１の対向する両端にそれぞれ連接された２つの側壁１１３を含む。底壁１１１及び２つの側壁１１３は、共同で電子装置を収容するための収容空間１１５を形成している。また、底壁１１１には、貫通孔１１１３が設けられており、電子装置のカメラ等の素子は、この貫通孔１１１３を介して露出される。２つの側壁１１３には、電子装置の電源ボタン、イヤホンジャック及びＵＳＢ接続ポート等を露出させるための複数の異なる形状の貫通孔１１３１が設けられている。各側壁１１３の両端は、それぞれ互いに向かって延伸して、止め部１１３３が形成されている。止め部１１３３は、電子装置の本体部と係合して、電子装置が収容空間１１５の中から離脱するのを防止する。
【００１２】
各グループのリブ１３は、底壁１１１の表面において、底壁１１１の長手方向に沿って一方の側壁１１３から他方の側壁１１３まで延在している。リブ１３は、基材１１の強度を強くできるだけでなく、ユーザの手と基材１１との間の摩擦力を増大して、基材１１がユーザの手から容易に滑り落ちるのを防止する。
【００１３】
各固定座１５には、取付孔１５１がそれぞれ設けられている。取付孔１５１は、ボルト３０と螺合又は嵌合して、アクセサリー２０を電子装置用保護ケース１００の本体部１０に取り付けるために使用される。
【００１４】
本発明は、必要に応じて、リブ１３及び固定座１５に対してそれぞれ表面処理を施しても良い。例えば、リブ１３及び固定座１５に対してブラスト、塗装又は電気メッキ等の表面処理を行って、その表面に所望の色彩、光沢又は模様を付与することも可能である。これにより、消費者の視覚に対する要求を満たし、並びにスリップを防止できる。
【００１５】
図４に示すように、アクセサリー２０は、電子装置用保護ケース１００の本体部１０を被覆して、本体部１０と互いに係合して、電子装置用保護ケース１００の強度をさらに強くする。本実施形態において、アクセサリー２０は、プラスチック材料により製造され、且つ形状及びサイズが同じである四つのカバー体２１を含む。各カバー体２１の両端には、固定孔２１１がそれぞれ設けられている。即ち、アクセサリー２０には、八つの固定孔２１１が設けられている。この八つの固定孔２１１は、本体部１０の固定座１５の位置とそれぞれ対応し、固定座１５と協力して各カバー体２１を基材１１に固定させる。各カバー体２１の一端には、翼部２１３がそれぞれ設けられている。各翼部２１３は、基材１１の隅部と係合する。
【００１６】
変形例として、金属又は金属とプラスチックとの混合材料を採用して、アクセサリー２０を製造しても良い。これにより、アクセサリー２０の補強効果はさらに向上する。
【００１７】
また、アクセサリー２０は、他の多種の機能を備えても良い。例えば、アクセサリー２０内に、カメラモジュール又はフラッシュモジュール等の素子を内蔵することで、電子装置の機能をさらに豊富にすることができる。
【００１８】
また、アクセサリー２０は、他の形状又は構造にしても良い。
【００１９】
また、アクセサリー２０の各カバー体２１に対して、ブラスト、塗装又は電気メッキ等の表面処理を行って、各カバー体２１の表面に所望の色彩、光沢又は模様を形成することができる。これにより、アクセサリー２０の装飾効果はさらに向上する。
【００２０】
図５に示すように、アクセサリー２０を本体部１０に組み立てる場合、先ず各カバー体２１を基材１１にそれぞれ被覆して、各翼部２１３を本体部１０の角部に係合させる。次に、複数のボルト３０を各カバー体２１の固定孔２１１に貫通させて、固定座１５の取付孔１５１内に螺合又は嵌合させれば良い。
【００２１】
電子装置用保護ケース１００を使用する場合、電子装置を基材１１の収容空間１１５内に収容し、電子装置のボタン、ジャック及び接続ポート等を基材１１の貫通孔１１１３、１１３１から露出させる。このようにして、電子装置用保護ケース１００の本体部１０は、電子装置を収容して保護する。次に、本体部１０の基材１１の外面に、所望の色、形状及び材質を有するアクセサリー２０を装着して、該アクセサリー２０により、基材１１をさらに補強又は装飾する。
【００２２】
上述したように、本発明は、電子装置用保護ケース１００の基材１１に複数の固定座１５を設け、且つ基材１１の底壁１１１に複数のリブ１３を設けることによって、電子装置用保護ケース１００の強度を高め、並びに基材１１の摩擦力を大きくする。また、本発明は、固定座１５とボルト３０とを組み合せて、各種異なる材質、色又は形状を有するアクセサリー２０を電子装置用保護ケース１００の基材１１に装着することによって、電子装置用保護ケース１００の基材１１を補強し、さらには、電子装置用保護ケース１００の外観を個性的にして、ユーザの使用体験を向上することができる。アクセサリー２０を取り換える場合は、ボルト３０を基材１１の固定座１５から取り外すだけで、アクセサリー２０を本体部１０から分離することができるため便利である。
【符号の説明】
【００２３】
１００  電子装置用保護ケース
１０  本体部
１１  基材
１３  リブ
１５  固定座
１１１  底壁
１１３  側壁
１１５  収容空間
１５１  取付孔
２０  アクセサリー
２１  カバー体
３０  ボルト
２１１  固定孔
２１３  翼部
１１１３、１１３１  貫通孔
１１３３  止め部
【図１】
2015104669.tif 000003
【図２】
2015104669.tif 000004
【図３】
2015104669.tif 000005
【図４】
2015104669.tif 000006
【図５】
2015104669.tif 000007